(57)【要約】【課題】  閉止状態では開き戸の外側に施解錠操作用ハンドルのような突出物のない美的外観を得られる一方、開き戸を外側から容易に施解錠することができる開き戸の施解錠機構を提供する。【解決手段】壁面パネル間の目地部ａに外側へ臨む鍵操作用の小穴１０を設け、目地部の内側にロック制御装置Ｒを設置する。ロック制御装置は、それを設置するとき鍵穴３９を鍵操作用小穴に合わせて設けられるピンシリンダ錠１５と、施解錠時は鍵操作用小穴を通してピンシリンダ錠の鍵穴に回転自在に抜き差しする鍵棒２０と、鍵棒を差し込んでピンシリンダ錠内部で正逆方向に回転させると、その回転に連動して開き戸をロックするロック位置又はそのロックを解除するロック解除位置に回動するロックレバー２５を備え、鍵棒は、軸部２０ａが目地部内で軸回転可能に細径な丸棒状で、軸部の先端をピンシリンダ錠内部の鍵違いに対応する合鍵形状に成形する。【選択図】          図１
2007016550.tif 000002
【特許請求の範囲】
【請求項１】
多数の壁面パネルを貼り付けて面一に構築した壁体の開口部を開閉する開き戸を施解錠するための開き戸の施解錠機構であって、
隣接する前記壁面パネル間の目地部に、その外側へ臨む鍵操作用の小穴を設け、前記目地部の内側にロック制御装置を設置し、
該ロック制御装置は、それを設置するとき鍵穴を前記鍵操作用の小穴に合わせて設けられる錠前と、施解錠時は該鍵操作用の小穴を通して前記錠前の鍵穴に回転自在に抜き差しする鍵棒と、該鍵棒を差し込んで前記錠前内部で正逆方向に回転させると、その回転に連動して前記開き戸をロックするロック位置又はそのロックを解除するロック解除位置に回動するロックレバーとを備え、
前記鍵棒は、軸部が前記目地部内で軸回転可能に細径な棒状で、該軸部の先端を前記錠前内部の鍵違いに対応する合鍵形状に成形してなることを特徴とする、開き戸の施解錠機構。
【請求項２】
前記ロック制御装置は、前記ロックレバーをロック解除位置に回動して前記開き戸を解錠すると、該開き戸を開放方向へ付勢して押し開く付勢手段を備えてなることを特徴とする、請求項１に記載の開き戸の施解錠機構。
【発明の詳細な説明】
【技術分野】
【０００１】
本発明は、多数の壁面パネルを貼り付けて面一に形成した壁体の開口部を開閉する開き戸を施解錠するのに好適な開き戸の施解錠機構に関する。
【背景技術】
【０００２】
最近のビル建築物では、多数の金属製壁面パネルを貼り付けて、出っ張りなく一面フラットに室内壁を形成するため、その壁の開口部を開閉する開き戸も、開口部の用途に応じて、例えば設備の点検口のように、一見して壁のように見せたい開き戸の設置箇所では、施解錠操作のドアハンドルのような突起物が表の外側に出っ張らない外観であることが要請されている。そこで、従来の開き戸の施解錠機構の中には、ケースハンドルを用いて扉の表の外側からドアハンドルが大きく突出しないような構造にしたり、配電盤の収納箱の扉のように扉を開ける使用時にドアハンドルを取り付け、その不使用時にはドアハンドルを取り外すようにした構造のものがある（特許文献１参照）。
【特許文献１】特開平９−１００６５７号公報
【発明の開示】
【発明が解決しようとする課題】
【０００３】
しかし、従来、ケースハンドルを用いた例では、扉面からケースハンドル自体の存在が目立ってしまうし、ドアハンドルが着脱式のものでは、扉を開ける際にドアハンドルを引き抜くと、それが抜け落ちてしまう等の課題があった。
【０００４】
そこで、本発明の目的は、閉止状態では開き戸の外側に施解錠操作用ハンドルのような突出物のない美的外観を得られる一方、開き戸を外側から容易に施解錠することができる開き戸の施解錠機構を提供することにある。
【０００５】
そこで、上記した目的を達成すべく、請求項１に記載の発明は、たとえば以下に示す図示実施の形態のとおり、多数の壁面パネルｗ１・ｗ２・ｗ３…を貼り付けて面一に構築した壁体Ｗの開口部Ｓを開閉する開き戸Ｄを施解錠するための開き戸の施解錠機構であって、隣接する前記壁面パネルｗ１・ｗ２間の目地部ａに、その外側へ臨む鍵操作用の小穴１０を設け、前記目地部ａの内側にロック制御装置Ｒを設置し、該ロック制御装置Ｒは、それを設置するとき鍵穴３９を前記鍵操作用の小穴１０に合わせて設けられるピンシリンダ錠１５のような錠前と、施解錠時は該鍵操作用の小穴１０を通して前記錠前の鍵穴３９に回転自在に抜き差しする鍵棒２０と、該鍵棒２０を差し込んで前記錠前内部で正逆方向に回転させると、その回転に連動して前記開き戸Ｄをロックするロック位置又はそのロックを解除するロック解除位置に回動するロックレバー２５とを備え、前記鍵棒２０は、軸部２０ａが前記目地部ａ内で軸回転可能なほど細径な棒状で、該軸部２０ａの先端２０ｂを前記錠前内部の鍵違いに対応する合鍵形状に成形してなることを特徴とする。
【０００６】
請求項２に記載の発明は、請求項１に記載の開き戸の施解錠機構において、たとえば以下に示す図示実施の形態のとおり、前記ロック制御装置Ｒは、前記ロックレバー２５をロック解除位置に回動して前記開き戸Ｄを解錠すると、該開き戸Ｄを開放方向へ付勢して押し開く付勢手段４０を備えてなることを特徴とする。
【発明の効果】
【０００７】
したがって、上記請求項１に記載の発明によれば、開き戸の外側には、施解錠操作用にハンドル等の突起物が設けられない構成なので、閉止状態において、一見すると壁のように見える開き戸を設置した美的外観を得ることができる。一方で、施解錠時は鍵操作用の小穴を通して鍵棒を鍵穴に差し込んで錠前内部で正逆方向に回動操作すれば、開き戸を外側から容易に施解錠することができる。
【０００８】
請求項２に記載の発明によれば、鍵棒を鍵穴に差し込んで錠前内で回転させ、ロックレバーをロック解除位置に回動して解錠すれば、同時に開き戸は付勢手段により開放方向へ押し開かれ、よって、ハンドル等を使用しなくても、支障なく簡単に開き戸を開けることができる。
【発明を実施するための最良の形態】
【０００９】
以下、図面を参照しつつ、本発明の最良の実施形態について説明する。
【００１０】
図１（Ａ）は、本発明による開き戸の施解錠機構を適用した壁体を、開き戸の閉止状態において示し、同図（Ｂ）は開状態において示す平面図、図２は壁体を開き戸の閉止状態において示す斜視図である。壁体Ｗは、たとえば多数のスチール製壁面パネルｗ１・ｗ２・ｗ３…を貼り付けて面一に構築した室内壁で、中間の壁面パネルＷ２に、たとえば室内設備の点検口となる開口部Ｓを開閉する、開き戸Ｄを組み付けてなる。さらに、壁体Ｗは、隣接する壁面パネル間に、パネル相互を接続して支持する鉛直な間柱Ｐを備え、これら間柱Ｐの外側（図中手前側）には、壁面パネル相互の継目に幅約６ｍｍ〜８ｍｍの立て目地が形成されている。
【００１１】
そこで、図示例の開き戸の施解錠機構では、壁体Ｗの立て目地の中で、特に壁面パネルｗ１と開き戸Ｄ間の目地部ａに、外側へ向けて臨む丸い鍵操作用の小穴１０を設けている。一方、小穴１０を開けた高さ位置で、間柱Ｐの内側（図中奥側）には、ロック制御装置Ｒを設置してなる。
【００１２】
開き戸Ｄは、片側側縁１１ａにＬ板状に屈曲したレバー係止部１２を設け、閉止状態において、開口部Ｓに収まって壁体Ｗと面一になるように、他側側縁１１ｂ側の間柱Ｐに蝶番１３により開閉自在に取り付けられている。そのため、蝶番１３は、それが開き戸Ｄと壁面パネルｗ３間の目地部ｂから外側へ出っ張らないように、開き戸Ｄの他側側縁１１ｂと間柱Ｐ間の隙間に収まるように取り付けて内設している。
【００１３】
ロック制御装置Ｒは、図３〜図６に示すように、取付ケースｍと、取付ケースｍに組み付けるロック構成部品ｎとを備え、ロック構成部品ｎには、錠前としてのピンシリンダ錠１５と、ピンシリンダ錠１５の鍵穴に抜き差して回動操作する専用の鍵棒２０と、開き戸Ｄの開閉をロックするロックレバー２５と、このロックレバー２５とピンシリンダ錠１５間で回転を伝達する回転伝達手段３０とを有する。
【００１４】
取付ケースｍは、金属板を曲げ成形した２つの支持プレート１６とカバープレート１７を備え、薄箱形のギヤ収納部１８と細長角筒形の軸収納部１９が形成されるように組み立ててなる。
【００１５】
ピンシリンダ錠１５は、図７に示すように、鍵棒２０を用いて、円筒本体１５ａ内の複数本のピンタンブラー２１を動かしてプラグ２２を回し、プラグ２２に同軸に回転自在に内挿した円柱状の錠軸２３を回動する錠前構造になっている。錠軸２３は、先端部２３ａを、図３に示すように、円柱形でなく、回転伝達用に周面の一部が平面の異形に形成してなる。回転伝達手段３０は、第１ギヤ２４および第２ギヤ２６と、回転軸２７を備える。第１ギヤ２４は、ギヤ中心穴２４ａを、丸穴でなく、錠軸２３の先端部２３ａに合わせた異形な穴形状に形成している。そこで、ピンシリンダ錠１５は、図５に示すように、錠軸２３の先端部２３ａをギヤ中心穴２４ａに係合させて第１ギヤ２４を連結し、この第１ギヤ２４が取付ケースｍのギヤ収納部１８内に収納状態で、支持プレート１６上に立設してなる。
【００１６】
さらに、回転伝達手段３０において、第２ギヤ２６は、図３に示すように、片側板面上に、ギヤ中心穴２６ａと同心に十字状のカム凹部２６ｂを形成している。回転軸２７は、細軸２８と、細軸２８の先端部２８ａを嵌合する一段太径な円筒軸２９とからなる。細軸２８は、先端部２８ａを角軸状に形成する一方、円筒軸２９は、細軸２８の先端部２８ａに合わせて角筒状に開けた連結穴２９ａを有すると共に、軸先端にはレバー連結突部２９ｂを突設してなる。そこで、回転軸２７は、細軸２８の先端部２８ａを円筒軸２９の連結穴２９ａに嵌合し、円筒軸２９に細軸２８を軸方向にスライド可能に連結する一方、細軸２８の基端部２８ｂをギヤ中心穴２６ａに通して第２ギヤ２６を連結する。そして、回転軸２７は、図５および図６に示すように、ギヤ収納部１８内で第２ギヤ２６を第１ギヤ２４に噛み合わせて、ピンシリンダ錠１５と平行に取付ケースｍに立設する。
【００１７】
さらに、回転軸２７は、一方で、円筒軸２９のレバー連結突部２９ｂを、取付ケースｍの支持プレート１６から外部へ突出し、支持プレート１６上でレバー連結突部２９ｂにロックレバー２５を固持してなる。他方で、回転軸２７は、カバープレート１７から外部へ突出させた細軸２８の基端部２８ｂに、レバー操作用つまみ３５を固着している。レバー操作用つまみ３５は、つまみ本体３５ａとカム凸部３５ｂとからなっている。カム凸部３５ｂは、第２ギヤ２６のカム凹部２６ｂに合わせて、それに嵌め込み可能な凸形状に形成してなる。そこで、回転軸２７は、細軸２８に、圧縮コイルばね３１をばね止めリング３２と支持プレート１６間で挟持して巻装し、細軸２８を、レバー操作用つまみ３５と一体に円筒軸２９側へ向けて常時ばね付勢し、カム凸部３５ｂを第２ギヤ２６のカム凹部２６ｂに嵌め込んでなる。
【００１８】
ロック制御装置Ｒにおいて、専用の鍵棒２０は、図３に示すように軸部２０ａが上記目地部ａ内で軸回転可能なほどに細径な丸軸状で、軸部２０ａの先端２０ｂをピンシリンダ錠１５の内部の鍵違い構造に対応する合鍵形状に成形してなる。
【００１９】
従って、ロック制御装置Ｒでは、この専用の鍵棒２０を、図６および図７に示すように、鍵穴３９に差し込んでピンシリンダ錠１５内で正方向へ９０度回転すると、ピンタンブラー２１が動いてプラグ２２が錠軸２３と一体に回動する。すると、錠軸２３の回転を、第１ギヤ２４と第２ギヤ２６の噛み合いを介して回転軸２７へ伝達してロックレバー２５をロック位置に回動する構造になっている。反対に、鍵棒２０をピンシリンダ錠１５内で逆方向へ９０度回転させると、同様にピンタンブラー２１が動いてプラグ２２を錠軸２３と一体に回動する。すると、この錠軸２３の逆回転を、第１ギヤ２４と第２ギヤ２６の噛み合いを介して回転軸２７へ伝達してロックレバー２５をロック解除位置に回動する構造になっている。
【００２０】
加えてロック制御装置Ｒには、開き戸Ｄを開くとき、開き戸を押し開く方向へ付勢するための付勢手段４０が付設されている。付勢手段４０は、図３に示すように、支持プレート１６上に立設したばね保持ピン４３をばね基端に係合させた圧縮コイルばね４４のばね先端に角筒形のプッシュ部材４５を連結してなる。そして、プッシュ部材４５を、常時は、その大半を取付ケースｍの軸収納部１９内からガイド穴（図示省略）を通して外部へ突出させた構造になっている。
【００２１】
そこで、上述した構造のロック制御装置Ｒは、図１および図２に示すように、鍵操作用小穴１０の高さ位置において間柱Ｐの内側に取り付ける。そして、ロック制御装置Ｒは、プッシュ部材４５を、間柱Ｐの横で開口部Ｓから外側へ臨ませて配置し、ピンシリンダ錠１５を間柱Ｐに開けた取付穴（図示省略）に挿入し、鍵穴３９を鍵操作用小穴１０に一致させた状態で、間柱Ｐに止めネジで固定する。
【００２２】
さて、以上のような構成の本発明の施錠機構において、開き戸Ｄを外側から閉じて施錠する場合は、開き戸Ｄを付勢手段４０の上記圧縮コイルばね４４に抗して手で押えて、閉止状態とし、一方で、目地部ａの隙間から、鍵棒２０を、鍵穴３９に差し込んでピンシリンダ錠１５内で正方向へ錠軸２３と一体に９０度回転する。すると、錠軸２３の正回転が回転伝達手段３０で伝達されるロックレバー２５を図中横向きのロック位置へ回動し（図８参照）、このロックレバー２５をレバー係止部１２に掛け止める。しかる後、鍵棒２０をピンシリンダ錠１５の鍵穴３９から抜き取って施錠し、これによって開き戸Ｄをロックする。
【００２３】
一方、開き戸Ｄを外側から解錠する場合は、同様に目地部ａの隙間から、鍵棒２０を鍵穴３９に差し込み、今度は反対に、ピンシリンダ錠１５内で逆方向へ錠軸２３と一体に９０度回転する。すると、錠軸２３の逆回転が回転伝達手段３０で伝達されるロックレバー２５を、図９に示すように上向きのロック解除位置へ回動し、ロックレバー２５の掛け止めをレバー係止部１２から外す。すると同時に、開き戸Ｄは、付勢手段４０の圧縮コイルばね４４の外向きの付勢力に基づきプッシュ部材４５に押されて、図１（Ｂ）・図１０に示すように開放する。それから、レバー係止部１２に手を掛けて、開き戸Ｄを更に開くように操作すればよい。
【００２４】
ところで、開き戸Ｄを、点検口の内側から閉じて施錠する場合は、開き戸Ｄを付勢手段４０の圧縮コイルばね４４に抗し手前に引き寄せて閉止状態とし、一方で、レバー操作用つまみ３５を摘んで、回転軸２７の細軸２８と一体に圧縮コイルばね３１に抗して手前に引き出し、カム凸部３５ｂの嵌め込みを第２ギヤ２６のカム凹部２６ｂから外す。これにより、いまピンシリンダ錠１５で回転伝達をロックして第１ギヤ２４と共に固定状態にある第２ギヤ２６から、回転軸２７をいったん外してロック解除する。それから、レバー操作用つまみ３５を、回転軸２７と一体に正方向へ９０度回してロックレバー２５を直接ロック位置へ回動し、ロックレバー２５を開き戸Ｄのレバー係止部１２に掛け止める。しかる後、レバー操作用つまみ３５の摘みを外すと、つまみ３５を回転軸２７の細軸２９と一体に圧縮コイルばね３１の付勢力で円筒軸２８側へ引き込んで、カム凸部３５ｂを第２ギヤ２６のカム凹部２６ｂに再び嵌め込み、ピンシリンダ錠１５で回転伝達をロックしてロックレバー２５の動きを固定状態とし、これによって開き戸Ｄをロックする。
【００２５】
他方、開き戸Ｄを内側から解錠する場合は、同様にレバー操作用つまみ３５を摘んで、回転軸２７の細軸２８と一体に圧縮コイルばね３１に抗して手前に引き出し、カム凸部３５ｂの嵌め込みを第２ギヤ２６のカム凹部２６ｂから外し、ピンシリンダ錠１５でロック状態にある第２ギヤ２６から、回転軸２７をいったん外して解除してから、レバー操作用つまみ３５を、回転軸２７と一体に逆方向へ９０度回してロックレバー２５をロック解除位置へ回動し、ロックレバー２５の掛け止めをレバー係止部１２から外す。すると同時に、開き戸Ｄが付勢手段４０の圧縮コイルばね４４の付勢力に基づきプッシュ部材４５に押されて開放される。そして更に、開き戸Ｄを押し開いて大きく開放する。
【図面の簡単な説明】
【００２６】
【図１】（Ａ）は、本発明に係る開き戸の施解錠機構を適用した壁体を、開き戸の閉止状態において示し、同図（Ｂ）は開き戸の開状態において示す平面図である。
【図２】開き戸の施解錠機構を備えた壁体を開き戸の閉止状態において示す斜視図である。
【図３】ロック制御装置の分解斜視図である。
【図４】ロック制御装置の組立斜視図である。
【図５】ロック制御装置の内部機構を示す斜視図である。
【図６】ロック制御装置の内部機構を示す正面図である。
【図７】ロック制御装置に備えるピンシリンダ錠の内部構造を示す縦断面図である。
【図８】（Ａ）はロック制御装置を、ピンシリンダ錠を鍵棒で施錠操作する状態において示す斜視図、（Ｂ）は同じ平面図である。
【図９】ロック制御装置を、ピンシリンダ錠を鍵棒で解錠操作する状態において示す平面図である。
【図１０】壁体を開き戸の半開き状態において示す斜視図である。
【符号の説明】
【００２７】
Ｄ                開き戸
Ｐ                間柱
Ｒ                ロック制御装置
Ｓ                開口部
Ｗ                壁体
ｗ１・ｗ２・ｗ３  壁面パネル
ａ・ｂ            目地部
１０              鍵操作用の小穴
１５              ピンシリンダ錠
２０              鍵棒
２５              ロックレバー
２７              回転軸
３０              回転伝達手段
３５              レバー操作用つまみ
３９              鍵穴
４０              付勢手段
【図１】
2007016550.tif 000003
【図２】
2007016550.tif 000004
【図３】
2007016550.tif 000005
【図４】
2007016550.tif 000006
【図５】
2007016550.tif 000007
【図６】
2007016550.tif 000008
【図７】
2007016550.tif 000009
【図８】
2007016550.tif 000010
【図９】
2007016550.tif 000011
【図１０】
2007016550.tif 000012